(57)【要約】【課題】撮像装置の耐衝撃性を確保するとともに組み立て作業が簡素である撮像装置を提供する。【解決手段】本発明の撮像装置は、受光した光学情報を処理する画像処理ユニットと、前記画像処理ユニットに光を導く光学ユニットと、内部が空洞の角柱形状であり、前記画像処理ユニットと前記光学ユニットとをその内部に保持するケースと、前記ケースを外部から電磁遮蔽するシールドケースとを備え、前記シールドケースは、前記光学ユニットに光を導入する開口部が形成された上面部と、前記上面部の端部から起立している側面部と、を有し、前記側面部は、前記シールドケースの弾性力により前記ケースの側面の各角部を押圧保持する複数の密着部と、隣接する前記密着部間に形成され、前記ケースの側面と前記シールドケースの側面との間に隙間を形成する円弧部とを有する。【選択図】図１
2008182311.tif 000002
【特許請求の範囲】
【請求項１】
受光した光学情報を処理する画像処理ユニットと、
前記画像処理ユニットに光を導く光学ユニットと、
内部が空洞の角柱形状であり、前記画像処理ユニットと前記光学ユニットとをその内部に保持するケースと、
前記ケースを外部から電磁遮蔽するシールドケースと
を備え、
前記シールドケースは、前記光学ユニットに光を導入する開口部が形成された上面部と、前記上面部の端部から起立している側面部と、を有し、
前記側面部は、前記シールドケースの弾性力により前記ケースの側面の各端辺を押圧保持する密着部と、前記ケースの側面と前記シールドケースの側面との間に隙間を形成する円弧部と
を有する撮像装置。
【請求項２】
前記シールドケースは、側面の各端辺にスリットを有し、
前記ケースは、側面の各端辺に前記スリットと対応する突起部を有し、
前記突起が前記スリットに嵌合されている請求項１に記載の撮像装置。
【請求項３】
前記シールドケースは、第１のシールドケースと第２のシールドケースの組み合わせにより構成され、
前記第１のシールドケースは、前記光学ユニットに光を導入する開口部が形成された上面部を有し、
前記第２のシールドケースは、組み合わせた状態でのシールドケースの底面を形成する下面部を有する請求項１又は請求項２に記載の撮像装置。
【請求項４】
内部が空洞の角柱形状であり、画像処理ユニットと光学ユニットとをその内部に保持するケースと、
前記光学ユニットに光を導入する開口部が形成された上面部と、前記上面部の端部から起立している側面部と、を有するとともに下面が開放されており、前記側面部は、前記シールドケースの弾性力により前記ケースの側面の各端辺を押圧保持する密着部と、前記ケースの側面と前記シールドケースの側面との間に隙間を形成する円弧部とを有するシールドケースとを備える撮像装置の製造方法であって、
前記シールドケースの前記円弧部を押圧して前記密着部を外側に歪ませる工程と、
前記密着部が歪んだ状態において、シールドケースの開放部から、前記ケースを挿入する工程と、
前記ケースを挿入した後、円弧部の押圧を開放する工程と、
を含む撮像装置の製造方法。
【発明の詳細な説明】
【技術分野】
【０００１】
本発明は、カメラ付き携帯電話等の電子機器に用いられる撮像装置およびその製造方法に関する。
【背景技術】
【０００２】
近年、撮像装置（以下、カメラモジュールとも示す）が組み込まれた携帯電話端末、またはＰＤＡ（Ｐｅｓｏｎａｌ  Ｄｉｇｉｔａｌ  Ａｓｓｉｓｔａｎｔｓ）などの携帯情報端末が提供され、広く一般に普及している。一方、携帯情報端末は、更なる小型・薄型化が進んでおり、様々な機能が追加されるに伴い、基板に実装される回路がより微細化している。また、携帯情報端末の小型・薄型化に伴い、カメラモジュールに対する小型化の要請も高まっている。
【０００３】
このようなカメラモジュールを携帯情報端末に組み込む場合、カメラモジュールから発生する不要輻射が携帯情報端末の通信機能を阻害することが懸念される。また、携帯情報端末の通信に伴って発生する不要輻射がカメラモジュールの機能を阻害することが懸念される。
【０００４】
そこで、このような不要輻射の影響を防ぐために、カメラモジュールをシールドケースで電磁遮蔽することが必要となる。
【０００５】
しかし、カメラモジュールの小型化に伴いシールドケースも小型化しており、カメラモジュールのシールドケースへの組み込み作業が困難となっており、その改善策が求められている。例えば、後ケースの側面部の前縁に、前ケースを後ケースの内部に導く案内板部を設けて、位置決めを容易にしたシールドケース構成用ケースが提案されている（特許文献１参照）。
【０００６】
また、携帯情報端末は、誤って落下したときの衝撃や、曲げやねじりなどの外部からの力に対する十分な強度（耐衝撃性）も必要とされている。しかし、携帯情報端末の小型・軽量化は、外部からの力に対する強度を弱めることにつながり、故障の原因となってしまう。そこで、カメラモジュールを、緩衝部材を介して外装部材に取り付けた撮像装置が提案されている。
【特許文献１】特開２００５−８６３４１号公報
【発明の開示】
【発明が解決しようとする課題】
【０００７】
しかしながら、特許文献１に記載のシールドケースは、前記シールドケースに設けられた係合孔部とカメラモジュールに設けられた係合凸部を係合させて、シールドケース内にカメラモジュールを保持するものである。よって、前記シールドケースを用いた撮像装置は、誤って落下したときの衝撃や、曲げやねじりなどの外部からの力がシールドケースから係合部を介してカメラモジュールに直接伝達してしまう構造であり、組み立ては容易になるものの外部からの力に対する強度を確保することができない。
【０００８】
また、耐衝撃性を向上させるのに緩衝部材を用いる手法では、従来のカメラモジュールの組み立てに、緩衝部材を組み込む工程を追加する必要がある。緩衝部材を組み込む工程は、カメラモジュールの小型化に伴って複雑・困難な工程となってしまうものであり、カメラモジュールの製造コストが高くなってしまう。また、緩衝部材を新たに追加する必要があるので、製造コストが高くなってしまう。
【０００９】
本発明は、上述の課題に鑑みてなされたものであり、撮像装置の耐衝撃性を確保するとともに組み立て作業が簡素である撮像装置およびその製造方法を提供することを目的とする。
【課題を解決するための手段】
【００１０】
本発明の撮像装置は、受光した光学情報を処理する画像処理ユニットと、前記画像処理ユニットに光を導く光学ユニットと、内部が空洞の角柱形状であり、前記画像処理ユニットと前記光学ユニットとをその内部に保持するケースと、前記ケースを外部から電磁遮蔽するシールドケースとを備え、前記シールドケースは、前記光学ユニットに光を導入する開口部が形成された上面部と、前記上面部の端部から起立している側面部と、を有し、前記側面部は、前記シールドケースの弾性力により前記ケースの側面の各端辺を押圧保持する密着部と、前記ケースの側面と前記シールドケースの側面との間に隙間を形成する円弧部とを有するものである。
【００１１】
この構成により、ケースと直接接触している密着部は円弧部と円弧部の間の溝に位置するため、密着部は円弧部によって外部から保護された状態となっている。すなわち、外部からの力が直接的に密着部に加えられる確率が低いものとなる。また、外部からの力がシールドケースの円弧部に加えられる場合も、円弧部とケースとの間には隙間が形成されており、直接的には力は伝達せせず一定程度吸収される。このように外部からの力は、円弧部によって吸収されるので、撮像装置の耐衝撃性が向上する。また、緩衝部材を用いないので、部品コストが低減するとともに組み立て作業が簡素化し、製造コストを下げることができる。
【００１２】
また、本発明の撮像装置は、前記シールドケースが、側面の各端辺にスリットを有し、前記ケースは、側面の各端辺に前記スリットと対応する突起部を有し、前記突起が前記スリットに嵌合されているものとしても良い。
【００１３】
この構成により、シールドケースのスリットとケースの突起が嵌合しているので、シールドケースはケースを安定して保持することができる。また、組み立ての際、スリットに突起をスライドして嵌合させることができるので、組み立て作業が容易になる。
【００１４】
また、本発明の撮像装置は、前記シールドケースは、第１のシールドケースと第２のシールドケースの組み合わせにより構成され、前記第１のシールドケースは、前記光学ユニットに光を導入する開口部が形成された上面部を有し、前記第２のシールドケースは、組み合わせた状態でのシールドケースの底面を形成する下面部を有するものとしても良い。
【００１５】
この構成により、シールドケースがケース全体を包み込むため、電磁遮蔽効果が高まり、不要輻射を効果的に防止することが出来る。
【００１６】
また、本発明の撮像装置の製造方法は、内部が空洞の角柱形状であり、画像処理ユニットと光学ユニットとをその内部に保持するケースと、前記光学ユニットに光を導入する開口部が形成された上面部と、前記上面部の端部から起立している側面部と、を有するとともに下面が開放されており、前記側面部は、前記シールドケースの弾性力により前記ケースの側面の各端辺を押圧保持する複数の密着部と、前記ケースの側面と前記シールドケースの側面との間に隙間を形成する円弧部とを有するシールドケースとを備える撮像装置の製造方法であって、前記シールドケースの前記円弧部を押圧して前記密着部を外側に歪ませる工程と、前記密着部が歪んだ状態のシールドケースに、前記ケースを嵌め込む工程と、前記ケースを嵌め込んだ後、円弧部の押圧を開放する工程とを含むものである。
【００１７】
この製法では、シールドケースの形状により耐衝撃性を確保しており、緩衝部材を用いないので、緩衝部材を組み込む工程を省略することができ、組み立て工程を簡素化することができる。また、シールドケースの円弧部を押圧して、密着部を一時的に外側に歪ませることで、ケースを挿入することを可能な状態とし、挿入後、円弧部の押圧を開放することで、シールドケースにケースを弾性力により保持させる状態とすることができる。これらの工程は一連の動作で処理することができ、組み立て工程が簡素化する。
【発明の効果】
【００１８】
本発明によれば、撮像装置の耐衝撃性を確保するとともに組み立て作業が簡素である撮像装置およびその製造方法を提供することができる。
【発明を実施するための最良の形態】
【００１９】
（実施の形態１）
次に、本発明の実施の形態１のカメラモジュール１００について説明する。図１は、本実施の形態１のカメラモジュールの分解斜視図である。図１に示すように、カメラモジュール１００は、光学情報を受光する光学ユニット１０と、光学ユニット１０から生成されるデータを処理する画像処理ユニット１１と、光学ユニット１０と画像処理ユニット１１とを保持するケース２と、携帯情報端末等の通信に伴って発生する不要輻射がケース２の内部の部材に与える影響を防ぐシールドケース１と、を備えるものである。
【００２０】
光学ユニット１０は、レンズと鏡筒からなるものであり、外部からの光を画像処理ユニット１１に導くものである。自動焦点調整機能付きの場合は、レンズを移動させるアクチュエータも含まれる。
【００２１】
画像処理ユニット１１は、固体撮像素子１１ａと固体撮像素子を実装する基板１１ｂとからなるものである。固体撮像素子は、半導体素子の製造技術を用いて集積回路化された光電変換素子であって、光を検出して電荷を発生させるフォトダイオードが配列されたものである。固体撮像素子を実装する基板は、中央に開口部を有しており、実装された固体撮像素子の受光面が開口部に露出している。これにより、画像処理ユニット１１は、光学ユニット１１から進入してきた光を受光できるものである。
【００２２】
次に、図２にシールドケース１の外観斜視図を示す。シールドケース１は、アルミニウムや鉄などの導電性を有する材料から形成されている。また、シールドケース１は、開口部１ｂを有する上面板１ａと、上面板１ａの外縁から垂直方向に向けて起立した４つの側面板１ｃとで構成されている。シールドケース１の下面部は、開放されている。各側面板１ｃは、それぞれ円弧状に形成されている。符号１ｄは、側面板の長手側の端辺を示している。この端辺は、円弧と円弧を接続する谷（溝）に位置する。
【００２３】
図３（ａ）は、ケース２の外観斜視図を示している。図３（ａ）に示すように、ケース２は、開口部２ｂを有する矩形状の上面板２ａと、上面板２ａの外縁から後方に向けて起立した４つの側面板２ｃとにより構成されている。符号２ｄは、各側面板２ｃの端辺（角部）を示している。
【００２４】
図３（ｂ）は、ケース２の図３（ａ）中のＣ−Ｃ線の断面図を示している。図３（ｂ）に示すように、ケース２の内部には、光学ユニット１０と画像処理ユニット１１とが設置されている。
【００２５】
次に、図４を参照して、シールドケース１とケース２の形状の大小関係について説明する。図４（ａ）は、シールドケース１を上方（図２中Ａ方向）から見たときの平面図を示している。図４（ｂ）は、ケース２を上方（図３（ａ）中Ｂ方向）から見たときの平面図を示している。図４（ｃ）は、シールドケース１が変形した状態において、シールドケース１を上方から見たときの平面図を示している。
【００２６】
図４（ａ）に示すＬ１は、シールドケース１の各側面板の端辺１ｄの対角線の距離を示している。図４（ｂ）に示すＬ２は、ケース２の各側面部の端辺２ｄの対角線の距離を示している。シールドケース１の対角線距離Ｌ１とケースの対角線距離Ｌ２とを比較すると、Ｌ１がＬ２より３％程小さくなるよう設計されている。
【００２７】
次にシールドケース１の変形について説明する。図４（ｃ）に示すシールドケース１は、各側面板１ｃが、シールドケース１の中心部方向に略同じ大きさの力Ｆが加えられたときの変形の様子を示している。図４（ｃ）に示すように、円弧状である各側面に同程度の力を加えると、シールドケース１は、円弧部が押し付けられ中心側（内側）に変形した分、側面板の端辺１ｄが外側に変形し、上面板１ａは、略円形になる。このとき、各側面板の端辺１ｄの対角線の距離Ｌ３は、Ｌ２より大きくなる。Ｌ１、Ｌ２、Ｌ３の関係をまとめると、Ｌ１＜Ｌ２＜Ｌ３  となる。
【００２８】
すなわち、シールドケース１の側面板は、円弧形状１ｃと端辺１ｄとが、力が加えられていない状態では、ケース２を挿入することができず、変形時のみケース２が挿入することができる程度に変形するように設計されている。
【００２９】
次に、本実施の形態１のカメラモジュールの組み立て方法について説明する。まず、ケース２の内部に光学ユニット１０と画像処理ユニット１１を設置する。例えば、ケース２の内部に専用の係合部等（図示せず）を設けておき、各ユニットを設置する。
【００３０】
次に、シールドケース１の４つの側面板１ｃに対して、シールドケース１の中心に向けて同程度の力Ｆを加える。このとき、シールドケース１は、上述のように、側面板１ｃの端辺が外側に変形し、全体としてシールドケース１は略円柱形状となり、上面板１ａは略円形となる。
【００３１】
この状態において、続けて、ケース２をシールドケース１内に挿入する。このとき、ケース２の端辺２ｄと、シールドケース１ｄの端辺が重なるように挿入する。挿入後、シールドケース１の側面板１ｃの押圧を開放する。このとき、シールドケース１は、変形前の形状に戻ろうとするため側面板１ｃの端辺１ｄがケース２の端辺２ｄに密着する。この密着部分では、シールドケース１が元の形状に戻ろうとする弾性力が働いており、シールドケース１はケース２を保持することが可能となる。
【００３２】
図５（ａ）は、シールドケース１の内部にケース２が挿入された状態のシールドケース１の外観斜視図である。図５（ｂ）は、図５（ａ）中のＥ−Ｅ線の断面図である。図５（ｂ）に示すように、シールドケース１の側面板１ｃの端辺１ｄとケース２の端辺（角部）が密着している。一方、シールドケース１の側面板１ｃとケース２の側面板２ｃとの間には隙間が形成されている。
【００３３】
この構成により、ケース２と直接接触している密着部である端辺１ｄは円弧部１ｃの谷に位置する。従って、密着部は円弧部１ｃによって外部から保護された状態となっており、外部からの力が直接的に密着部に加えられる確率が低いものとなる。また、外部からの力がシールドケース１の円弧部１ｃに加えられる場合も、円弧部１ｃとケース２の側面板２ｃとの間には隙間が形成されており、直接的には力は伝達せせず一定程度吸収される。このように外部からの力は、円弧部１ｃによって吸収されるので、耐衝撃性が向上する。
【００３４】
また、変形例として、図５（ｃ）に示すように、円弧部１ｃの形状を半円まで拡張して、円弧と円弧の共通接線Ｋより内側（ケースの中心側）に密着部である端辺１ｄを配置しても良い。この構成により、密着部に対して直接外力が加わる可能性は更に低くなるので、耐衝撃性は向上する。
【００３５】
また、このカメラモジュール１００の製造方法は、ケース２を挿入する工程を一連の動作で処理することができ、組み立て工程が簡素化する。
【００３６】
（実施の形態２）
次に、本実施の形態２のカメラモジュール２００について説明する。なお、以下の説明では、上述した構成要素と同一の構成要素には同一の符号を付し、その説明を省略する。本実施の形態の特徴は、シールドケース３にスリットが設けられ、ケース４にそのスリットに対応する突起が設けられている点にある。
【００３７】
図６は、本実施の形態２のカメラモジュールの分解斜視図である。図６に示すように、カメラモジュール２００は、光学情報を受光する光学ユニット１０（図示せず）と、光学ユニット１０から生成されるデータを処理する画像処理ユニット１１（図示せず）と、光学ユニット１０と画像処理ユニット１１とを保持するケース４と、携帯情報端末等の通信に伴って発生する不要輻射がケース４の内部の部材に与える影響を防ぐシールドケース３と、を備えるものである。
【００３８】
次に、図７にシールドケース３の外観斜視図を示す。シールドケース３は、アルミニウムや鉄などの導電性を有する材料から形成されている。また、シールドケース３は、開口部３ｂを有する上面板３ａと、上面板３ａの外縁から垂直方向に向けて起立した４つの側面板３ｃとで構成されている。シールドケース３の下面部は、開放されている。各側面板３ｃは、それぞれ円弧状に形成されている。符号３ｄは、側面板の長手側の端辺を示している。この端部は、円弧と円弧を接続する谷（溝）に位置する。また、シールドケース３は、各側面板３ｃの端辺３ｄに、下面側方向に開放された矩形状のスリット３ｆが設けられている。また、スリット３ｆの端部３ｇは角を丸める加工がなされている。
【００３９】
図８は、ケース４の外観斜視図を示している。図８に示すように、ケース４は、開口部４ｂを有する矩形状の上面板４ａと、上面板４ａの外縁から後方に向けて起立した４つの側面板４ｃとにより構成されている。符号４ｄは、各側面板４ｃの端辺（角部）を示している。また、側面板４ｃの端辺４ｄに、シールドケースのスリット３ｆと対応する形状であるＴ字形状の突起４ｆが設けられている。
【００４０】
シールドケース３は、スリット３ｆがケース４の突起部４ｆとが重なる位置関係になる場合を除き、ケース４を挿入することができない形状となっている。なお、シールドケース３の各側面板の端辺３ｄの対角線の距離Ｌ１と、ケース４の各側面板の端辺４ｄの対角線の距離Ｌ２の関係は、実施の形態１と同様であり、Ｌ１＜Ｌ２の関係にあるが、Ｌ１とＬ２の差は、スリット３ｆによりケース４をスライド挿入可能な範囲での差である。
【００４１】
次に、本実施の形態２のカメラモジュールの組み立て方法について説明する。まず、ケース４の内部に光学ユニット１０と画像処理ユニット１１を設置する。例えば、ケース４の内部に専用の係合部等（図示せず）を設けておき、各ユニットを設置する。
【００４２】
続けて、ケース４をシールドケース３内にスライド挿入する。ケース４の突起部４ｆと、シールドケース３のスリット３ｆとが重なるように配置し、スライドさせて挿入する。挿入後、シールドケース３は、側面板３ｃの端辺３ｄやスリット３ｆの近傍がケース４の端辺４ｄや突起部４ｆの脚部に密着する。この密着部分では、シールドケース３が元の形状に戻ろうとする弾性力が働いており、シールドケース３はケース４を保持することが可能となる。
【００４３】
図９（ａ）は、シールドケース３の内部にケース４が挿入された状態のシールドケース３の外観斜視図である。図９（ｂ）は、図９（ａ）中のＦ−Ｆ線の断面図である。図９（ｂ）に示すように、シールドケース３の側面板３ｃの端辺３ｄの近傍やスリット３ｆとケース４の突起部４ｆの脚部が密着している。一方、シールドケース３の側面板３ｃとケース４の側面板４ｃとの間には隙間が形成されている。
【００４４】
この構成により、実施の形態１のように耐衝撃性が向上する。また、シールドケース３とケース４の側面の４辺が、スリット３ｆと突起部４ｆとにより嵌合されているので、組み込み後の外力によるシールドのずれや回転を防ぐことが出来る。また、スリット３ｆの端部３ｇが丸く形成されているため、ケース４の挿入角度は一定の余裕を有し、ケース４の突起部４ｆをスムーズにスリット３ｆに案内することができる。したがって、スライド挿入時のケース４の損傷をなくすと共に、容易にスライド挿入を可能にすることが出来る。
【００４５】
（実施の形態３）
次に、本実施の形態３のカメラモジュール３００について説明する。なお、以下の説明では、上述した構成要素と同一の構成要素には同一の符号を付し、その説明を省略する。本実施の形態の特徴は、シールドケースが、二つの分割体により構成されている点にある。
【００４６】
図１０は、本実施の形態３のカメラモジュールの分解斜視図である。図１０に示すように、カメラモジュール３００は、光学情報を受光する光学ユニット１０と、光学ユニット１０から生成されるデータを処理する画像処理ユニット１１と、光学ユニット１０と画像処理ユニット１１とを保持するケース２と、携帯情報端末等の通信に伴って発生する不要輻射がケース２の内部の部材に与える影響を防ぐシールドケース５、６と、を備えるものである。
【００４７】
次に、図１１（ａ），（ｂ）にシールドケース５、６の外観斜視図を示す。シールドケース５、６ともに、アルミニウムや鉄などの導電性を有する材料から形成されている。図１１（ａ）に示すように、第１のシールドケース５は、開口部５ｂを有する上面板５ａと、上面板５ａの外縁から垂直方向に向けて起立した４つの側面板５ｃとで構成されている。シールドケース５の下面部は、開放されている。各側面板５ｃは、それぞれ円弧状に形成されている。符号５ｄは、側面板の端辺を示している。この端部は、円弧と円弧を接続する谷（溝）に位置する。
【００４８】
また、図１１（ｂ）に示すように、第２のシールドケース６は、底面板６ａと、底面板６ａの外縁から垂直方向に向けて起立した４つの側面板６ｃとで構成されている。シールドケースの上面部は、開放している。各側面板６ｃは、それぞれ円弧状に形成されている。符号６ｄは、側面板の端辺を示している。この端部は、円弧と円弧を接続する谷（溝）に位置する。
【００４９】
第１のシールドケース５と第２のシールドケース６は、対向して組み合わせることで、実施の形態１のシールドケース１と同様の形状を形成するものである。
【００５０】
次に、シールドケース５，６とケース２の形状の大小関係について説明する。シールドケース５，６の側面板５ｃ，６ｃの円弧形状は、力が加えられていない状態では、実施の形態１と同様にケース２を挿入することができない大きさに設計されている。また、シールドケース５，６の側面板５ｃ，６ｃの円弧形状は、円弧形状が押圧された時のみケース２の端辺２ｄとシールドケース５，６の端辺５ｄ，６ｄとが、それぞれ対応する位置関係に配置され、挿入することができるように設計されている。
【００５１】
次に、本実施の形態３のカメラモジュールの組み立て方法について説明する。まず、ケース２の内部に光学ユニット１０と画像処理ユニット１１を設置する。例えば、ケース２の内部に専用の係合部等（図示せず）を設けておき、各ユニットを設置する。
【００５２】
次に、シールドケース５の４つの側面板５ｃに対して、シールドケース５の中心に向けて同程度の力を加える。このとき、シールドケース５は、実施の形態１と同様に、側面板５ｃの端辺が外側に変形し、全体としてシールドケース５は略円柱形状となり、上面板５ａは略円形となる。
【００５３】
この状態において、続けて、ケース２をシールドケース５内に挿入する。このとき、ケース２の角部２ｄと、シールドケース５の端辺５ｄとが重なるように配置し、挿入する。挿入後、シールドケース５の側面板５ｃの押圧を開放する。このとき、シールドケース５は、変形前の形状に戻ろうとするため側面板５ｃの端辺５ｄがケース２の端辺２ｄに密着する。この密着部分では、シールドケース５が元の形状に戻ろうとする弾性力が働いており、シールドケース５はケース２を保持することが可能となる。
【００５４】
続けて、シールドケース５と同様にシールドケース６を挿入する。なお、シールドケース５とシールドケース６の装着順序はどちらが先でも良い。このようにして、本実施の形態３のカメラモジュール３００を組み立てる。
【００５５】
図１２（ａ）は、シールドケース５，６の内部にケース２が挿入された状態のシールドケース５，６の外観斜視図である。図１２（ｂ）は、図１２（ａ）中のＧ−Ｇ線の断面図である。図１２（ｂ）に示すように、ケース２は、シールドケース５，６により底面から包まれた状態なっている。
【００５６】
この構成により、シールドケース５，６がケース２全体を包み込むため、電磁遮蔽効果が高まり、不要輻射を効果的に防止することが出来る。
【００５７】
また、変形例として、図１３〜図１５に示すように、実施の形態２と実施の形態３の特徴を組み合わせても良い。すなわち、シールドケースをスリットを設けた２つの分割体（シールドケース７，８）で形成し、ケースには対応する突起部を設ける構成としても良い。
【００５８】
この構成により、組み込み後の外力によるシールドのずれや回転を防ぐことができ、また、容易にスライド挿入を可能にすることができるとともに、電磁遮蔽効果を高めて不要輻射を効果的に防止することが出来る。
【００５９】
なお、以上の実施の形態１〜３の説明では、ケースが方形の角柱である例について説明したがこれに限られるものではなく、多角柱であれば良い。例えば、三角柱や五角柱でも良い。この場合、多角中の角の数に応じて、シールドケースの側面板の数（溝を形成する端辺の数）を変更する。
【００６０】
また、ケースが、光学ユニットの鏡筒を兼ねる構成としても良い。この場合は、ケース内にレンズと画像処理ユニットが設置される構成となる。
【産業上の利用可能性】
【００６１】
本発明の撮像装置及びその製造方法は、撮像装置の耐衝撃性を確保するとともに組み立て作業が簡素である撮像装置及びその製造方法として有用である。
【図面の簡単な説明】
【００６２】
【図１】本実施の形態１のカメラモジュールの分解斜視図
【図２】シールドケース１の外観斜視図
【図３】（ａ）ケース２の外観斜視図、（ｂ）ケース２の図３（ａ）中のＣ−Ｃ線の断面図
【図４】（ａ）シールドケース１を上方（図２中Ａ方向）から見たときの平面図、（ｂ）ケース２を上方（図３（ａ）中Ｂ方向）から見たときの平面図、（ｃ）シールドケース１が変形した状態において、シールドケース１を上方から見たときの平面図
【図５】（ａ）シールドケース１の内部にケース２が挿入された状態のシールドケース１の外観斜視図、（ｂ）図５（ａ）中のＥ−Ｅ線の断面図、（ｃ）変形例の断面図
【図６】本実施の形態２のカメラモジュールの分解斜視図
【図７】シールドケース３の外観斜視図
【図８】ケース４の外観斜視図
【図９】（ａ）シールドケース３の内部にケース４が挿入された状態のシールドケース３の外観斜視図、（ｂ）図９（ａ）中のＦ−Ｆ線の断面図
【図１０】本実施の形態３のカメラモジュールの分解斜視図
【図１１】（ａ）シールドケース５の外観斜視図、（ｂ）シールドケース６の外観斜視図
【図１２】（ａ）シールドケース５，６の内部にケース２が挿入された状態のシールドケース５，６の外観斜視図、（ｂ）図１２（ａ）中のＧ−Ｇ線の断面図
【図１３】変形例の分解斜視図
【図１４】（ａ）変形例のシールドケース７の外観斜視図、（ｂ）変形例のシールドケース８の外観斜視図
【図１５】変形例のシールドケース７，８の内部にケース４が挿入された状態のシールドケース３外観斜視図
【符号の説明】
【００６３】
１      シールドケース
１ａ    上面板
１ｂ    開口部
１ｃ    側面板
１ｄ    端辺（密着部）
２      ケース
２ａ    上面板
２ｂ    開口部
２ｃ    側面板
２ｄ    端辺
１０    光学ユニット
１１    画像処理ユニット
【図１】
2008182311.tif 000003
【図２】
2008182311.tif 000004
【図３】
2008182311.tif 000005
【図４】
2008182311.tif 000006
【図５】
2008182311.tif 000007
【図６】
2008182311.tif 000008
【図７】
2008182311.tif 000009
【図８】
2008182311.tif 000010
【図９】
2008182311.tif 000011
【図１０】
2008182311.tif 000012
【図１１】
2008182311.tif 000013
【図１２】
2008182311.tif 000014
【図１３】
2008182311.tif 000015
【図１４】
2008182311.tif 000016
【図１５】
2008182311.tif 000017